(57)【特許請求の範囲】
【請求項１】
予め用意された育成鉢内の、土植えした植物の苗、或いは、土中に挿し木した観葉植物である土付きの植物を、該育成鉢から土ごと取り出して培養液で栽培するように構成した水耕栽培キットであって、
この育成鉢から取り出した植物の土周りを囲む発泡石と、
この発泡石で土周りを囲んだ植物を保持する保持体と、
この保持体を水槽本体内の培養液で浮遊させる浮力体と
を備え、
前記保持体は、前記発泡石の通過を禁止する一方、前記植物からはりだす根の通過を許容するような貫通孔を有するものであることを特徴とする水耕栽培キット。
【請求項２】
前記浮力体は、前記保持体の上部のみを支持可能であることを特徴とする請求項１記載の水耕栽培キット。
【請求項３】
前記水槽本体の上部において前記浮力体を止めるストッパ手段を備えたことを特徴とする請求項１又は２記載の水耕栽培キット。
【請求項４】
前記培養液中にエアーを供給するエアー供給手段を備えたことを特徴とする請求項１〜３のいずれか１項に記載の水耕栽培キット。
【請求項５】
前記水槽本体を不透明体で囲むとともに、該水槽本体の少なくとも正面の不透明体を取り外し又は開閉可能としたことを特徴とする請求項１〜４のいずれか１項に記載の水耕栽培キット。
【請求項６】
前記保持体の上面を二つ割れの蓋で覆うとともに、該蓋に植物の茎を貫通させる軟質のブロックを備えたことを特徴とする請求項１〜５のいずれか１項に記載の水耕栽培キット。
【請求項７】
前記水槽本体内の培養液中で魚を飼育可能としたことを特徴とする請求項１〜６のいずれか１項に記載の水耕栽培キット。
【発明の詳細な説明】
【技術分野】
【０００１】
本発明は、水耕栽培キットに関し、特に家庭用の水耕栽培キットに好適である。
【背景技術】
【０００２】
水耕栽培は、観賞用や食用の植物をその育成状態を容易に観察できるため、趣味と実益とを兼ねて採用される傾向にある。この水耕栽培装置として、培養液を別の貯液槽に蓄えず、栽培槽に直接供給して必須養分を溶解させ、作物の生育に適した濃度に調合しているものがある。この装置は、循環ポンプや配管類を必要とせず、栽培槽だけで足り、小型かつ簡易で比較的手軽に取り扱えるため、一般家庭用として好適である。
【０００３】
しかしながら、この種の水耕栽培装置では、栽培槽に対する培養液の補給は自動的に行われない。しかも、栽培床が位置固定式になっている。このため、植物体の生育とともに培養液が減少したときに、栽培床が栽培液からかい離し、幼苗のように根の短いものでは、根が培養液に触れず、空気中に露出して枯死することが多くなるという問題があった。この対策として、栽培槽に水位計を取り付けるようなことも行われているが、植物育成の専門家でない者にとっては、水位計を見安として培養液を補給するのは難しく、しかも水位計は水あかなどにより曇りが生じやすいため、培養液管理が不確実となりやすかった。
【０００４】
そこで、培養液を貯留する栽培槽と、培養液に酸素を溶存させるポンプと、植物体を定植する栽培床からなり、前記栽培床が培養液面に浮置され、栽培槽は培養液が一定水位に減少したときに栽培床の沈降を規制する断面形状を備えている一般家庭用の簡易水耕栽培装置が開発された（例えば特許文献１参照）。
【０００５】
ここでは、栽培床の沈下状態がすなわち培養液の液面を表わしており、培養液不足を素人でも一目で判断することができるため、培養液の管理が極めて容易で、この状態に至ったときに培養液を確実に確保することができると記載されている。
【発明の概要】
【発明が解決しようとする課題】
【０００６】
ところで、植物を種子から育成すると変化を観察することができるようになるには、最低２週間程度かかるが、植物を苗から育成するとすぐに変化を観察することができる。かかる植物の苗は、例えば育成鉢（ポリエチレンフィルムポット）に土植えしたものが市販されている。しかしながら、育成鉢は通気性が悪く、蒸れやすいので、そこに植えた植物の苗は、なるべく早く植え替えることが好ましい。
【０００７】
このため、上記特許文献１では、育成鉢から植物の苗を取り出して、根にはり付いた土をすべて落とした上で、発泡スチロール製の栽培床を貫く定植孔に植え直している。しかしながら、育成鉢から植物の苗を取り出して、根にはり付いた土をすべて落とした上で植え替えたのでは、根を傷めてしまうことがある。
【０００８】
本発明は、このような事情に鑑みてなされたもので、育成鉢から植物の苗を土植えしたまま取り出して植え替えることのできる水耕栽培キットを提供することを目的とする。
【課題を解決するための手段】
【０００９】
本発明は、予め用意された育成鉢内の、土植えした植物の苗、或いは、土中に挿し木した観葉植物である土付きの植物を、該育成鉢から土ごと取り出して培養液で栽培するように構成した水耕栽培キットであって、この育成鉢から取り出した植物の土周りを囲む発泡石と、この発泡石で土周りを囲んだ植物を保持する保持体と、この保持体を水槽本体内の培養液で浮遊させる浮力体とを備え、前記保持体は、前記発泡石の通過を禁止する一方、前記植物からはりだす根の通過を許容するような貫通孔を有するものであることを特徴とするものである。
【００１０】
本発明によれば、この育成鉢から取り出した植物の土周りを囲む発泡石と、この発泡石で土周りを囲んだ植物を保持する保持体と、この保持体を水槽本体内の培養液で浮遊させる浮力体とを備え、前記保持体は、前記発泡石の通過を禁止する一方、前記植物からはりだす根の通過を許容するような貫通孔を有するものであるので、育成鉢から、植物の苗を土植えしたまま、或いは、観葉植物を土中に挿し木したまま取り出して植え替えることができる。これにより、植物の根を傷めてしまうおそれがなくなる。よって、植物の根を培養液中に伸ばしていき、その培養液の増減で浮力体が昇降することで、培養液の現在量を知ることができる。そして、適宜タイミングで培養液を追加することができる。このようにして、植物を育成していく際の変化をすぐに観察することができて便利である。
【００１１】
ところで、浮力体に比べて保持体が縦長となる場合は、その浮力体を培養液に浮かせたときに不安定となりやすい。そこで、請求項２記載の発明のように、前記保持体の上部のみを前記浮力体で支持可能であることが好ましい。
【００１２】
請求項２記載の発明によれば、前記保持体の上部のみを前記浮力体で支持可能であるので、植物は安定した状態で、根を培養液中に伸ばしていくことができる。
【００１３】
請求項３記載の発明のように、前記水槽本体の上部において前記浮力体を止めるストッパ手段を備えることが好ましい。
【００１４】
請求項３記載の発明によれば、前記水槽本体の上部において前記浮力体を止めるストッパ手段を備えたので、植物の過大な傾きを防止することができる。
【００１５】
また、培養液中に有機物（藻類）が発生すると、太陽光で繁茂し、培養液中が酸素不足となる。そこで、請求項４記載の発明のように、前記培養液中にエアーを供給するエアー供給手段を備えることが好ましい。
【００１６】
請求項４記載の発明によれば、前記培養液中にエアーを供給するエアー供給手段を備えたので、エアーの供給により培養液中に酸素を補給することができる。
【００１７】
請求項５記載の発明のように、前記水槽本体を不透明体で囲むとともに、該水槽本体の少なくとも正面の不透明体を取り外し又は開閉可能とすることが好ましい。
【００１８】
請求項５記載の発明によれば、前記水槽本体を不透明体で囲むとともに、該水槽本体の少なくとも正面の不透明体を取り外し又は開閉可能としたので、遮光することで、有機物（藻類）が発生して培養液が腐ることがなくなる。また、保温または保冷が可能となり、水槽内の温度をほぼ一定に維持することができる。さらに、植物の根のはり具合などを観察できる。
【００１９】
また、培養液の補充時等に保持体内の発泡石が飛散するおそれがある。そこで、請求項６記載の発明のように、前記保持体の上面を二つ割れの蓋で覆うとともに、該蓋に植物の茎を貫通させる軟質のブロックを備えることが好ましい。
【００２０】
請求項６記載の発明によれば、前記保持体の上面を二つ割れの蓋で覆うとともに、該蓋に植物の茎を貫通させる軟質のブロックを備えたので、保持体内の発泡石の飛散を防止できる。また、蓋の貫通部で植物の茎を傷めることがなくなる。
【００２１】
請求項７記載の発明のように、前記水槽本体内の培養液中で魚を飼育可能とすることが好ましい。
【００２２】
請求項７記載の発明によれば、前記水槽本体内の培養液中で魚を飼育可能としたので、鑑賞性を高めることができる。
【発明の効果】
【００２５】
本発明によれば、この育成鉢から取り出した植物の土周りを囲む発泡石と、この発泡石で土周りを囲んだ植物を保持する保持体と、この保持体を水槽本体内の培養液で浮遊させる浮力体とを備え、前記保持体は、前記発泡石の通過を禁止する一方、前記植物からはりだす根の通過を許容するような貫通孔を有するものであるので、育成鉢から、植物の苗を土植えしたまま、或いは、観葉植物を土中に挿し木したまま取り出して植え替えることができる。これにより、植物の根を傷めてしまうおそれがなくなる。よって、植物の根を培養液中に伸ばしていき、その培養液の増減で浮力体が昇降することで、培養液の現在量を知ることができる。そして、適宜タイミングで培養液を追加することができる。このようにして、植物を育成していく際の変化をすぐに観察することができて便利である。
【図面の簡単な説明】
【００２６】
【図１】本発明の実施形態１に係る水耕栽培キットの全体構成を示す正面図である。
【図２】本実施形態１に係る水耕栽培キットの平面図である。
【図３】本実施形態１に係るメッシュポットと浮力体との縦断面図である。
【図４】本実施形態１に係る水槽本体の断熱材とメッシュポットの蓋との説明図であって、（ａ）はその斜視図、（ｂ）は断側面図、（ｃ）は断正面図である。
【図５】本発明の実施形態２に係る水耕栽培キットの全体構成を示す正面図である。
【図６】本実施形態２に係る水耕栽培キットの平面図である。
【発明を実施するための形態】
【００２７】
（実施形態１）
図１は本発明の実施形態１に係る水耕栽培キット１００の全体構成を示す正面図、図２はその平面図、図３は本実施形態１に係るメッシュポット１０と浮力体１との縦断面図、図４は本実施形態１に係る水槽本体５の断熱材５ｃ，５ｂとメッシュポット１０の蓋５ｄとの説明図であって、（ａ）はその斜視図、（ｂ）は断側面図、（ｃ）は断正面図である。
【００２８】
図１，図２に示すように、この水耕栽培キット１００は、植物の苗９を土植えした図示しない育成鉢の内容物３を発泡石２で囲んでメッシュポット（保持体に相当する。）１０に入れ、このメッシュポット１０を浮力体１で取り囲んで水槽本体５内の培養液４で浮かす一方、その水槽本体５内の散気球１２で培養液４中に散気されるようになっている。培養液４中に有機物（藻類）が発生すると、太陽光で繁茂し、培養液４中が酸素不足となり、植物の根９が育成しにくくなるから、この散気により培養液４中に酸素を補充するためである。なお、培養液４は、例えばハイポネックス（商品名）を水で希釈して使用するものであり、発泡石２は、軽石などである。
【００２９】
水槽本体５は、上部が開放された直方体状をなしており、その各辺に設けられた枠体１４において、底面を除く全ての周面（前後左右面）を構成するように、透明のガラス板５ａがそれぞれ嵌め込まれている。
【００３０】
浮力体１は、やや扁平な異型のものではあるが、平面視では長方形状をなしており、水槽本体５の上部の枠体１４による開口よりもわずかに大きい寸法となっている。この枠体１４が、水槽本体５の最上部において、浮力体１のさらなる上昇を止めて、植物の苗９の過大な傾きを防止するストッパ手段としての機能を有する。また、浮力体１の平面視での略中央には、メッシュポット１０を立姿勢で嵌め込み可能な丸孔状の開口１ａが形成されている。
【００３１】
図３に示すように、メッシュポット１０は、前記育成鉢を一回り大きくしたような円錐台形状をなしており、その周面１０ｂと底面１０ｃとには、その中に詰める発泡石２は通過できないが、植物の苗９の根がはり出したときに通過できるような大きさの貫通孔が複数形成されているものである。また、メッシュポット１０の上端にはフランジ１０ａが形成されており、このフランジ１０ａが前記浮力体１の開口１ａに係止されて、メッシュポット１０が浮力体１に一体化されるようになっている。
【００３２】
そして、前記浮力体１の開口１ａの外側が二重構造１ｂ、さらに外側が一重構造１ｃとなっている。二重構造１ｂは、中空とするか、或いは、発泡スチロールを封入しているものとする。そして、かかる構成の浮力体１で、メッシュポット１０の上部のみを支持することができるようになっている。浮力体１に比べてメッシュポット１０がかなり高い場合には、全体の重心が高くなって、その浮力体１を培養液４に浮かせたときに不安定となりやすいからである。
【００３３】
図４（ａ）に示すように、水槽本体５の周面が不透明で遮光性のある断熱材（不透明体に相当する。）５ｂ，５ｃで覆われている。遮光することで、有機物の発生を抑えるとともに、その断熱作用により、水槽内の温度をほぼ一定に維持するためである。ただし、水槽本体５の上部は開放されているので、不透明で遮光性のある蓋（不透明体に相当する。）５ｄで覆われている。遮光することで、有機物の発生を抑えるとともに、発泡石の飛散を防止し、植物の茎９がぐらつかないように支持する機能を有するものでもある。このため、蓋５ｄは略中央で二つ割れとされ、それらがヒンジ５ｅでもって浮力体１から固定されることで観音開きとなっている。また、正面の断熱材５ｃも略中央で二つ割れとされ、それらが図示しないヒンジでもって観音開きとなっており、その内部のガラス窓５ａが露出可能となっている。植物の根９のはり具合などを観察するためである。
【００３４】
図４（ｂ）に示すように、断熱材５ｂ，５ｃは、発泡スチロールの厚板をアルミニウムの薄板などで挟み込んだものである。蓋５ｄも同様であるが、図４（ｃ）に示すように、蓋５ｄの丸孔には、植物の茎９と蓋５ｄとの隙間を埋めるとともに、その茎９を傷つけないように、ガラス繊維製などの軟質のブロック５ｆが使用されている。なお、このブロック５ｆには、植物の茎９を嵌め込むためのスリットや、その茎９との接触部においてアール等を付けておくことが好ましい。その茎９を傷めるおそれをなくすためである。
【００３５】
図１，図２に示すように、前記散気球１２と、この散気球１２にエアーホースジョイント８を介して接続されたエアーホース７と、このエアーホースにエアーを供給するエアーポンプ６と、このエアーポンプ６に電力を供給する電源コード１３とがエアー供給手段に相当する。
【００３６】
以下、本水耕栽培キット１００の使用方法を説明する。
【００３７】
市販の植物の苗９を土植えした育成鉢を用意しておく。そして、最初に発泡石２をメッシュポット１０に少量入れておき、その中に育成鉢から取り出した内容物３を置き、その植物の苗９の茎周りと土の上とに、さらに発泡石２を入れて、植物の苗９を固定する。このとき、蓋５ｄは閉めておく。
【００３８】
メッシュポット１０を浮力体１に嵌め込む。水槽本体５の底部に、外部のエアーポンプ６とエアーホース７により接続された散気球１２を設置し、エアーホース７をエアーホースジョイント８で水槽本体５の枠体１４に固定する。そして、断熱材５ｂ，５ｃを水槽本体５の周りに装着するが、前面の断熱材５ｃは開放しておく。
【００３９】
水槽本体５内に培養液４を半分程度注ぎ入れ、浮力体１を水槽本体５に入れてから、水槽本体５内に培養液４を注ぎ入れて液量調整する。ここで水槽本体５内に培養液４を注ぎ入れると、浮力体１が上昇し、やがて枠体１４に当接して止まる。このとき、水槽本体５内は最大液位ＷＬまで培養液４で満たされているので、ただちにその注ぎ入れを中止する。電源コード１３を図示しない電源に接続して、エアーポンプ６を駆動させると、空気泡が発生する。その空気泡の発生などは、前面のガラス窓５ａから観察することができる。前面の断熱材５ｃを閉める。その後は、培養液４の補充を行う。また、前面の断熱材５ｃを開放することにより、ガラス窓５ａから植物の苗９の根の成長などを観察することができる。
【００４０】
以上説明したように、本実施形態１によれば、植物の苗９を土植えした育成鉢の内容物３を発泡石２で囲んでメッシュポット１０に入れ、このメッシュポット１０を浮力体１で取り囲んで水槽本体５内の培養液４で浮かすように構成したので、育成鉢から植物の苗９を土植えしたまま取り出して植え替えることができる。これにより、植物の根９を傷めてしまうおそれがなくなる。よって、この植物の根９を培養液４中に伸ばしていき、その培養液４の増減で浮力体１が昇降することで、培養液４の現在量を知ることができる。そして、適宜タイミングで培養液４を追加することができる。このようにして、植物の苗９が育成していく際の変化をすぐに観察することができて便利である。
【００４１】
（実施形態２）
ところで、実施形態１では、１本の植物の苗９から育成するのを観察するようにしているが、複数の観葉植物の挿し木９’，９’，・・・や魚（図示せず。）を鑑賞したいこともある。この実施形態２はそのような場合を考慮したものである。図５は本発明の実施形態２に係る水耕栽培キット１００’の全体構成を示す正面図、図６はその平面図である。なお、本実施形態２において、上記実施形態１と共通する要素には同一符号をつけて、重複説明をなるべく省略する。
【００４２】
図５，図６に示すように、この水耕栽培キット１００’は、観葉植物９’，９’，・・・を土中に挿し木した図示しない育成鉢の内容物３，３，・・・を発泡石２で囲み、この発泡石２を浮力体１’でさらに取り囲んで水槽本体５内の培養液４で浮かす一方、その水槽本体５内の散気球１２で培養液４中に散気されるようになっている。この散気は、魚が呼吸するために行うものでもある。
【００４３】
図６に示すように、浮力体１’は、平面視で中央付近が窪んだ長方形状をなしており、水槽本体５の上部の開口の奥半分よりもやや小さい寸法となっている。また、水槽本体５の上部の開口の手前半分は、平板状の蓋１６で覆われている。浮力体１’と蓋１６との境界には、浮力体１’の振れ止め１５が備わっており、蓋１６の右手前は一部切り欠かれて、三角形状のエサ投入口１７が形成されている。
【００４４】
図５に示すように、浮力体１’は、側断面視で凹状をなしており、底面が一重構造１ａ’、その周囲が二重構造１ｂ’となっている。一重構造１ａ’は、いわゆるパンチングボード（保持体に相当する。）で構成され、その中に詰める発泡石２は通過できないが、観葉植物の根９’，９’，・・・は通過できるような大きさの貫通孔が複数形成されているものである。二重構造１ｂ’は、中空とするか、或いは、発泡スチロールを封入しているものとする。また、浮力体１’の振れ止め１５，１５は、水槽本体５の前後方向の略中央の左右２箇所にあって、それぞれ上端から中間までの深さに形成された縦板状のものである。そして、かかる構成の浮力体１’で、蓋１６をも昇降自在に支持するようになっている。かかる構成の浮力体１’は、実施形態１の場合よりも重心がかなり低くなり、それを培養液４に浮かせたときの安定性がよいので、必ずしも実施形態１のように、二重構造１ｂ’を上部に設ける必要はない。また、振れ止め１５，１５で、浮力体１’と蓋１６との傾斜が規制されるので、実施形態１のように、浮力体１’を水槽本体５の最上部で枠体１４に当接させる必要もない。
【００４５】
図５，図６に示すように、培養液４中にエアーを供給する散気球１２、この散気球１２に接続されたエアーホース７等がエアー供給手段に相当する。
【００４６】
以下、本水耕栽培キット１００’の使用方法を説明する。
【００４７】
ここでは、観葉植物９’，９’，・・・を土中に挿し木した育成鉢を用意しておく。そして、最初に発泡石２を浮力体１’に少量入れておき、その中に育成鉢から取り出した内容物３，３，・・・を置き、さらに発泡石２を入れて、前記観葉植物の挿し木９’，９’，・・・を固定する。
【００４８】
水槽本体５の底部に、エアーホース７により接続された散気球１２を設置する。
【００４９】
水槽本体５内に培養液４を半分程度注ぎ入れ、浮力体１’と蓋１６との間に設けられたスリットに、振れ止め１５，１５を嵌め込み、水槽本体５の中に入れてから、水槽本体５内に培養液４を注ぎ入れて液量調整する。ここで水槽本体５内に培養液４を注ぎ入れると、浮力体１’が上昇し、水槽本体５内が培養液４で満たされると、その注ぎ入れを中止する。図示しないエアーポンプを駆動させると、空気泡が発生する。その空気泡の発生などは、前面のガラス窓５ａから観察することができる。そして、水槽本体５内の培養液４中に魚を入れて、飼育する。その後は、浮力体１’のエサ投入口１７から、適当なタイミングで魚のエサを投入する。また、前面のガラス窓５ａから観葉植物の根９’，９’，・・・に加えて、魚も鑑賞することができる。
【００５０】
以上説明したように、本実施形態２によれば、観葉植物９’，９’，・・・を土中に挿し木した育成鉢の内容物３，３，・・・を発泡石２で囲み、それをさらに浮力体１’で取り囲んで水槽本体５内の培養液４で浮かすように構成したので、育成鉢から観葉植物９’，９’，・・・を土中に挿し木したまま取り出して植え替えることができる。これにより、観葉植物の根９’，９’，・・・を傷めてしまうおそれがなくなる。よって、この観葉植物は根９’，９’，・・・を培養液４中に伸ばしていき、その培養液４の増減で浮力体１’と蓋１６とが昇降することで、培養液４の現在量を知ることができる。そして、適宜タイミングで培養液４を追加し、魚のエサを投入することができる。このようにして、観葉植物９’，９’，・・・や魚を鑑賞することができて便利である。
【００５１】
なお、上記実施形態１では、育成鉢は１種類の植物の苗９を土植えしたものを使用し、上記実施形態２では、育成鉢は複数の観葉植物９’，９’，・・・を土中に挿し木したものを使用し、魚を飼育しているが、それらを適宜組み合わせてもよいのはもちろんである。
【００５２】
また、上記実施形態１では、断熱材５ｂ，５ｃの一部を二つ割れとして、観音開きで開放自在としているが、その一部又は全部を片開き又はスライドさせることにより開閉自在としてもよいし、着脱自在としてもよい。蓋５ｄについても同様である。また、断熱材５ｂ，５ｃに代えて、不透明の遮光材であってもよい。蓋５ｄについても同様である。
【００５３】
また、上記実施形態２では、断熱材５ｂ，５ｃと、蓋５ｄとのいずれも装着されていないが、上記実施形態１と同様に装着することもできる。
【００５４】
また、上記実施形態１，２では、エアーポンプ６の電源は特に規定していないが、例えばソーラー電源を使用して省エネを図ることができる。
【００５５】
また、上記実施形態１，２では、保持体としてメッシュポット１０やパンチングボードを使用しているが、スリット構造などを使用してもよい。
【００５６】
また、上記実施形態１，２では、浮力体１，１’は、二重構造１ｂ，１ｂ’を備え、それを中空又は発泡スチロールを封入することとしているが、全体を発泡スチロールで構成してもよい。
【符号の説明】
【００５７】
１００，１００’  水耕栽培キット
１，１’  浮力体
２  発泡石
３  育成鉢の内容物
４  培養液
５  水槽本体
５ａ  ガラス窓
５ｂ，５ｃ  断熱材（不透明体に相当する。）
５ｄ  蓋（不透明体に相当する。）
５ｅ  枠体（ストッパ手段に相当する。）
５ｆ  ブロック
６  エアーポンプ（エアー供給手段に相当する。）
７  エアーホース（エアー供給手段に相当する。）
８  エアーホースジョイント（エアー供給手段に相当する。）
９  植物（の苗、茎、根）
９’  観葉植物（の挿し木、根）
１０  メッシュポット（保持体に相当する。）
１１  給排水口
１２  散気球（エアー供給手段に相当する。）
１４  枠体（特に最上部のものがストッパ手段に相当する。）
１５  振れ止め
１６  蓋
１７  エサ投入口
【先行技術文献】
【特許文献】
【００５８】
【特許文献１】実特昭６３−１９９５４８号公報
【要約】
【課題】育成鉢から植物の苗を土植えしたまま取り出して植え替えることのできる水耕栽培キットを提供する。
【解決手段】これは、家庭用の水耕栽培キット１００であって、植物の苗９を土植えした育成鉢の内容物３を発泡石２で囲んでメッシュポット１０に入れ、このメッシュポット１０を浮力体１で取り囲んで水槽本体５内の培養液４で浮かすように構成したので、育成鉢から植物の苗を土植えしたまま取り出して植え替えることができる。
【選択図】図１【図１】
0005476500.tif 000002
【図２】
0005476500.tif 000003
【図３】
0005476500.tif 000004
【図４】
0005476500.tif 000005
【図５】
0005476500.tif 000006
【図６】
0005476500.tif 000007